(57)【要約】【課題】ワイヤハーネスを端子台などに接続する場合に好適な治具を提供する。【解決手段】治具１０は、ワイヤハーネス９に束ねた複数の電線９ｗを順次、同一方向に屈曲させて、屈曲された以降のこれらの電線９ｗが一定の間隔で略平行に延出するように成形する。治具１０は、基台１と複数の電線保持板２を備える。基台１は、複数の電線９ｗが敷設される平坦面１１を有する。複数の電線保持板２は、一定の取り付け間隔を設けて、基台１に着脱自在に並設配置される。電線保持板２は、その長手方向に沿って形成されて、底面が平坦面１１と対向する溝２０であって、屈曲された以降の電線９ｗを内部に保持する溝２０を有する。電線９ｗを溝２０の内部に保持させて、電線９ｗを成形できる。【選択図】図１
2010232120.tif 000002
【特許請求の範囲】
【請求項１】
ワイヤハーネスに束ねた複数の電線を順次、同一方向に屈曲させて、屈曲された以降のこれらの電線が一定の間隔で略平行に延出するように成形するワイヤハーネス用治具であって、
前記複数の電線が敷設される平坦面を有する基台と、
一定の取り付け間隔を設けて、前記基台に着脱自在に並設配置される複数の電線保持板と、を備え、
前記電線保持板は、その長手方向に沿って形成されて、底面が前記平坦面と対向する溝であって、屈曲された以降の前記電線を内部に保持する溝を有するワイヤハーネス用治具。
【請求項２】
複数の前記電線保持板が伸長する方向と略直交する方向に延びる基準板が前記基台の端面から略平行に移動すると共に、前記基準板の両翼が屈折されて前記基台の両側面に保持される移動板を更に備え、
前記基準板は、屈曲された以降の複数の前記電線が載置され、前記基準板に合わせてこれらの電線が切断されることにより、これらの電線の終端を揃えると共に、前記基台の端面から当該基準板までの距離が複数の当該電線の被覆が剥離される芯線の露出長を規定する請求項１記載のワイヤハーネス用治具。
【発明の詳細な説明】
【技術分野】
【０００１】
本発明は、ワイヤハーネス用治具に関する。特に、端末に接続端子を設ける複数の電線を束ねたワイヤハーネス（ｗｉｒｅ  ｈａｒｎｅｓｓ）を端子台などに接続する場合に好適な治具の構造に関する。
【背景技術】
【０００２】
ワイヤハーネスは、電源の供給や信号の伝送を目的としており、接続端子又はコネクタを端末に有する複数の電線を束ねて、敷設し易い長さや形状に成形している。このようなワイヤハーネスは、例えば、自動車（四輪車・二輪車）や複写機などの装置の内部に配線されている。
【０００３】
このようなワイヤハーネスは、治具などを用いて、電線の端末に接続端子又はコネクタが接続される。そして、この端末処理が施されたワイヤハーネスが装置に組み込まれる。
【０００４】
ワイヤハーネスの端末処理装置としては、電線の長さを厳しい公差内に抑えて切断できるようにして、敷設時に自由に曲げ、伸ばしができないような太い電線であっても支障なく敷設できるシールド電線のトリミング装置が開示されている（例えば、特許文献１参照）。
【０００５】
特許文献１によるトリミング装置は、芯線、及び芯線を包囲して芯線の長手方向に沿って延長する編組線を有するシールド電線の芯線の先端部を切断して、芯線の長さを所定の長さにすることができる。
【０００６】
特許文献１によるトリミング装置は、芯線切断装置と位置決め手段を備えている。芯線切断装置は、固定刃と可動刃からなる切断刃を備えている。可動刃は、固定刃に接近又は離間する方向に移動可能に設けられ、固定刃と協働して芯線の先端部を切断できる。
【０００７】
位置決め手段は、切断刃の板厚方向の延長線上で切断刃から所定の距離に離間して敷設されている。又、位置決め手段は、シールド電線に固定されたシールドコンタクトの基準面に当接する位置決め基準面を有している。更に、位置決め基準面とシールドコンタクトの基準面との当接により、シールド電線の長手方向の位置決めが行なわれる。そして、芯線は、シールドコンタクトの基準面から所定の距離で離間した位置の所で切断される。
【先行技術文献】
【特許文献】
【０００８】
【特許文献１】特開２００６−１０９６３８号公報
【発明の概要】
【発明が解決しようとする課題】
【０００９】
図１３は、従来技術の配線作業によるワイヤハーネス及びこのワイヤハーネスから分岐された電線の端末に接続される端子台の平面図である。
【００１０】
図１３を参照すると、ワイヤハーネス９は、複数の電線９ｗを束ねている。電線９ｗの端末は、その被覆が所定の長さで剥離されて、芯線に圧着端子９ｔが圧着されている。そして、これらの圧着端子９ｔが端子台８にねじ８ｂで固定されている。
【００１１】
図１３を参照すると、ワイヤハーネス９は、各電線９ｗの伸長方向と平行に敷設されている。しかし、ワイヤハーネス９から分配された複数の電線９ｗの端末は、略直角に屈曲されて、端子台８に接続されることが好ましい。
【００１２】
又、図１３に示されたような、配線作業を行なう場合は、各電線９ｗのフォーム（整形）を予測し、予長をとって電線９ｗを切断している。しかし、各電線９ｗの切断長を誤ると、各電線９ｗに圧着端子９ｔを固定した後では、図１３に示されるように、電線９ｗのフォームが不揃いになるという問題がある。
【００１３】
特許文献１によるトリミング装置も同様の問題を含んでいる。特許文献１によるトリミング装置は、シールド電線の芯線の先端部を切断して、芯線の長さを所定の長さにすることができるとしているが、略直角に屈曲されるシールド電線の切断長を予測することは困難である。
【００１４】
略直角に屈曲されて平行に延びる複数の電線の端末が端子台などに正しく接続できるように、ワイヤハーネスを端末処理する治具を実現できれば、配線作業の効率を向上できる。そして、以上のことが本発明の課題といってよい。
【００１５】
本発明は、このような問題に鑑みてなされたものであり、端末に接続端子を設ける複数の電線を束ねたワイヤハーネスを端子台などに接続する場合に好適な治具を提供することを目的とする。
【課題を解決するための手段】
【００１６】
本発明者は、平板状の基台に複数の電線保持板を並設配置して、これらの電線保持板に電線を沿わせて成形することにより、上記の課題が解決可能なことを見出し、これに基づいて、以下のような新たなワイヤハーネス用治具を発明するに至った。
【００１７】
（１）本発明によるワイヤハーネス用治具は、ワイヤハーネスに束ねた複数の電線を順次、同一方向に屈曲させて、屈曲された以降のこれらの電線が一定の間隔で略平行に延出するように成形するワイヤハーネス用治具であって、前記複数の電線が敷設される平坦面を有する基台と、一定の取り付け間隔を設けて、前記基台に着脱自在に並設配置される複数の電線保持板と、を備え、前記電線保持板は、その長手方向に沿って形成されて、底面が前記平坦面と対向する溝であって、屈曲された以降の前記電線を内部に保持する溝を有する。
【００１８】
（２）本発明によるワイヤハーネス用治具は、複数の前記電線保持板が伸長する方向と略直交する方向に延びる基準板が前記基台の端面から略平行に移動すると共に、前記基準板の両翼が屈折されて前記基台の両側面に保持される移動板を更に備え、前記基準板は、屈曲された以降の複数の前記電線が載置され、前記基準板に合わせてこれらの電線が切断されることにより、これらの電線の終端を揃えると共に、前記基台の端面から当該基準板までの距離が複数の当該電線の被覆が剥離される芯線の露出長を規定することが好ましい。
【発明の効果】
【００１９】
本発明によるワイヤハーネス用治具は、平坦面を有する基台に複数の電線保持板を並設配置しているので、ワイヤハーネスに束ねた複数の電線を平坦面に敷設し、電線を電線保持板の溝の内部に保持させることにより、これらの電線を順次、同一方向に屈曲させて、屈曲された以降のこれらの電線が一定の間隔で略平行に延出するように成形できる。
【００２０】
又、本発明によるワイヤハーネス用治具は、基台の端面から略平行に移動する基準板を備えているので、基準板に合わせてこれらの電線が切断されることにより、これらの電線の終端を揃えることができる。更に、基台の端面から当該基準板までの距離を調整することで、電線の被覆が剥離される芯線の露出長を規定できる。
【図面の簡単な説明】
【００２１】
【図１】本発明の一実施形態によるワイヤハーネス用治具の構成を示す平面図である。
【図２】前記実施形態によるワイヤハーネス用治具の左側面図であり、移動板の図示を省略している。
【図３】前記実施形態によるワイヤハーネス用治具の正面図である。
【図４】前記実施形態によるワイヤハーネス用治具の正面図であり、図３の要部拡大図である。
【図５】前記実施形態によるワイヤハーネス用治具に備わる電線保持板の外観を示す斜視図である。
【図６】前記実施形態によるワイヤハーネス用治具に備わる電線保持板の左側面図であり、基台に固定した状態図である。
【図７】前記実施形態によるワイヤハーネス用治具と端子台を配置した平面図である。
【図８】前記実施形態によるワイヤハーネス用治具の平面図であり、ワイヤハーネスから延出した第１の電線が電線保持板に保持された状態図である。
【図９】前記実施形態によるワイヤハーネス用治具の平面図であり、ワイヤハーネスを電線保持板に近づけた状態図である。
【図１０】前記実施形態によるワイヤハーネス用治具の平面図であり、ワイヤハーネスを電線保持板に更に近づけた状態図である。
【図１１】前記実施形態によるワイヤハーネス用治具の平面図であり、ワイヤハーネスから延出して屈曲した全ての電線の端末が切断された状態図である。
【図１２】前記実施形態によるワイヤハーネス用治具の平面図であり、ワイヤハーネスから延出した第１の電線の被覆が剥離された状態図である。
【図１３】従来技術の配線作業によるワイヤハーネス及びこのワイヤハーネスから分岐された電線の端末に接続される端子台の平面図である。
【発明を実施するための形態】
【００２２】
以下、図面を参照して本発明を実施するための形態を説明する。
【００２３】
最初に、本発明の一実施形態によるワイヤハーネス用治具（以下、治具と略称する）の構成を説明する。図１は、本発明の実施形態による治具の構成を示す平面図である。図２は、実施形態による治具の左側面図であり、移動板の図示を省略している。図３は、実施形態による治具の正面図である。図４は、実施形態によるワイヤハーネス用治具の正面図であり、図３の要部拡大図である。
【００２４】
図１から図３を参照すると、本発明の実施形態による治具１０は、外形が矩形に形成された平板状の基台１を備えている。基台１は、複数の電線９ｗが敷設される平坦面１１を有している（図１３参照）。又、治具１０は、複数の電線保持板２を備えている。これらの電線保持板２は、一定の取り付け間隔を設けており、基台１に着脱自在に並設配置されている。なお、並設配置とは、互いに離間させて一列に揃え、並べて配置することを意味している。
【００２５】
図１から図３を参照すると、治具１０は、移動板３を更に備えている。移動板３は、基準板３１と一対の折り曲げ片３２・３２とで構成している。基準板３１は、複数の電線保持板２が伸長する方向と略直交する方向に延びるように配置されている。一対の折り曲げ片３２・３２は、基準板３１の両翼が直角に屈折されており、基台１の両側面に移動自在に保持されている。基準板３１は、基台１の端面１２から略平行に移動することができる。
【００２６】
図４を参照すると、基台１の側面には、目盛りと目盛りの上に数値（単位：ｍｍ）を表示している。これらの数値は、基台１の端面１２から基準板３１までの離間距離Ａを示している（図１参照）。そして、折り曲げ片３２の端縁を前記目盛りに合わせることで、離間距離Ａを数値で確認できる。なお、移動板３は、ねじなどの締結具を用いて、基台１の側面に固定できる（図３参照）。
【００２７】
次に、電線保持板２の構成を説明する。図５は、実施形態による治具に備わる電線保持板の外観を示す斜視図である。図６は、実施形態による治具に備わる電線保持板の左側面図であり、基台に固定した状態図である。図７は、実施形態による治具と端子台を配置した平面図である。
【００２８】
図５又は図６を参照すると、電線保持板２は、その長手方向に沿って形成された方形の溝２０を有している。図２を参照すると、溝２０の底面が基台１の平坦面１１と対向している。そして、電線保持板２は、開口された側面から電線９ｗが挿入されて、溝２０の内部に電線９ｗを保持できる。
【００２９】
図５又は図６を参照すると、電線保持板２は、電線９ｗが挿入される開口に対向する一片の端面から突出する二つの突起２ａ・２ａを有している。一方、図１又は図２を参照すると、基台１は、２列からなる多数の穴１ａ・１ａを設けている。これらの穴１ａ・１ａに二つの突起２ａ・２ａを嵌め込むことによって、電線保持板２を基台１に支持できる。図７を参照すると、電線保持板２は、端子台８の取り付けピッチに対応して、隣接し合う電線保持板２・２の間隔（ピッチ）を調整できる。
【００３０】
図５又は図６を参照すると、電線保持板２は、溝２０の内部に対向する一対の弾性帯板２ｂ・２ｂを有している。そして、一対の弾性帯板２ｂ・２ｂの間に電線９ｗを通過させることによって、溝２０の内部に電線９ｗを保持できる。
【００３１】
次に、本発明の実施形態による治具を用いる配線作業の手順を説明しながら、本発明の実施形態による治具の作用を説明する。図８は、実施形態による治具の平面図であり、ワイヤハーネスから延出した第１の電線が電線保持板に保持された状態図である。図９は、実施形態による治具の平面図であり、ワイヤハーネスを電線保持板に近づけた状態図である。
【００３２】
図１０は、実施形態による治具の平面図であり、ワイヤハーネスを電線保持板に更に近づけた状態図である。図１１は、実施形態による治具の平面図であり、ワイヤハーネスから延出して屈曲した全ての電線の端末が切断された状態図である。図１２は、実施形態による治具の平面図であり、ワイヤハーネスから延出した第１の電線の被覆が剥離された状態図である。
【００３３】
〈ステップ１〉
図８を参照すると、予め、治具１０を用意しておく。図７を参照して、治具１０は、端子台８と基台１とを平行させて並べ、ねじ８ｂの中心と電線保持板２とが同軸となるように、電線保持板２の取り付けピッチを調整し、複数の電線保持板２を基台１に取り付けておく。
【００３４】
〈ステップ２〉
全ての電線保持板２について基台１への取り付けが終了した後、図８に示すように、移動板３を基台１に取り付ける。なお、この段階では、まだ電線９ｗは取り付けられていない。基台１への移動板３の取り付けにおいては、芯線の露出長が所望の長さとなるように、移動板３を移動させながら、離間距離Ａを調整して取り付ける（図３参照）。
【００３５】
〈ステップ３〉
次に、図８を参照すると、ワイヤハーネス９から延出する第１の電線９ｗを緩やかに曲げ、電線９ｗが直線から曲線に移り変わる変曲点が電線保持板２の右端と略一致するように、ワイヤハーネス９と治具１０との相対位置を調整し、第１の電線９ｗを電線保持板２に保持する。図６に示すように、電線保持板２に設けた一対の弾性帯板２ｂ・２ｂの間に第１の電線９ｗを通過させることにより、第１の電線９ｗを溝２０の内部に保持できる。
【００３６】
〈ステップ４〉
次に、図９に示すように、ワイヤハーネス９を電線保持板２に向かって水平方向に移動させると、第１の電線９ｗの屈曲部の曲率半径が小さくなる。図９に示された状態から、ワイヤハーネス９を電線保持板２に向かって水平方向に更に移動させると（図１０参照）、第１の電線９ｗを略直角に曲げことができる。これにより第１の電線９ｗの成形が終了する。
【００３７】
〈ステップ５〉
次に、図１０に示された状態から、第２の電線９ｗを２段目の電線保持板２に保持することにより、第２の電線９ｗを第１の電線９ｗと同じフォームで成形できる。第３の電線９ｗ以下についても、下段の電線保持板２に順次保持することにより、全ての電線９ｗを同じフォームで成形できる。そして、複数の電線９ｗの成形作業が終了する（図１１参照）。
【００３８】
〈ステップ６〉
全ての電線９ｗの成形作業が終了すると、次に、図１１に示すように、基準板３１に合わせて、全ての電線９ｗの端末が切断されることにより、これらの電線９ｗの終端を揃えることができる。
【００３９】
〈ステップ７〉
次に、図１２に示すように、電線保持板２を取り外し、基台１の端面１２に合わせてストリッパーで電線９ｗの被覆を剥離する。この結果、芯線が露出する部分の長さを一様に所望の長さ（圧着端子９ｔを圧着する長さ）に調整できる。
【００４０】
このように、本発明の実施形態による治具１０は、平坦面１１を有する基台１に複数の電線保持板２を並設配置しているので、ワイヤハーネス９に束ねた複数の電線９ｗを平坦面１１に敷設し、電線９ｗを電線保持板２の溝２０の内部に保持させることにより、これらの電線９ｗを順次、同一方向に屈曲させて、屈曲された以降のこれらの電線９ｗが一定の間隔で略平行に延出するように成形できる。
【００４１】
又、本発明の実施形態による治具１０は、基台１の端面１２から略平行に移動する基準板３１を備えているので、基準板３１に合わせてこれらの電線９ｗが切断されることにより、これらの電線９ｗの終端を揃えることができる。更に、基台１の端面１２から基準板３１までの距離を調整することで、電線９ｗの被覆が剥離される芯線の露出長を規定できる。
【００４２】
本発明の実施形態による治具１０を用いて、ワイヤハーネス９を端末処理すれば、略直角に屈曲されて平行に延びる複数の電線９ｗの端末が端子台８に正しく接続できる。本発明の実施形態による治具１０を用いて、ワイヤハーネス９を端末処理すれば、配線作業の効率を向上できる。
【００４３】
なお、本発明の技術的思想を応用すれば、ワイヤハーネス９から延出する電線９ｗの端末に結線される接続端子は、実施形態に開示された圧着端子９ｔに限定されない。電線９ｗの端末に結線される接続端子は、圧着コンタクト又は圧接コンタクトであってもよく、コネクタを有するワイヤハーネスを実現できる。
【００４４】
又、本発明の技術的思想を応用すれば、ワイヤハーネス９から延出する複数の電線９ｗの端末に接続される電気部品は、実施形態に開示された端子台８に限定されない。複数の電線９ｗの端末に接続される電気部品は、例えば、フレームの内部に実装された電源結線板である銅ブスバーであってもよい。
【符号の説明】
【００４５】
１  基台
２  電線保持板
９  ワイヤハーネス
９ｗ  電線
１０  治具（ワイヤハーネス用治具）
１１  平坦面
２０  溝
【図１】
2010232120.tif 000003
【図２】
2010232120.tif 000004
【図３】
2010232120.tif 000005
【図４】
2010232120.tif 000006
【図５】
2010232120.tif 000007
【図６】
2010232120.tif 000008
【図７】
2010232120.tif 000009
【図８】
2010232120.tif 000010
【図９】
2010232120.tif 000011
【図１０】
2010232120.tif 000012
【図１１】
2010232120.tif 000013
【図１２】
2010232120.tif 000014
【図１３】
2010232120.tif 000015